(57)【特許請求の範囲】
【請求項１】
ベース部材に対して移動支持機構により第１位置と第２位置の間を移動可能に支持された可動演出部材を、遊技状態に応じて移動させて遊技の演出を行う遊技機であって、
前記移動支持機構に、
前記ベース部材に取り付けられ、溝開口を有する溝形の第１外レールと、
前記第１外レールの溝開口に対向した溝開口を有し、前記可動演出部材に取り付けられた溝形の第２外レールと、
前記第１外レール及び前記第２外レールの間に受容された中レールと、
前記第１外レール及び前記中レールより短くかつ前記第１外レールと前記中レールとの間の溝形隙間に収容された溝形構造をなし、前記第１外レール或いは前記中レールの一方が他方に対して移動可能に連結する第１スライダと、
前記第２外レール及び前記中レールより短くかつ前記第２外レールと前記中レールとの間の溝形隙間に収容された溝形構造をなし、前記第２外レール或いは前記中レールの一方が他方に対して移動可能に連結する第２スライダとを備えて、
前記可動演出部材が可動範囲の前記第１位置となる下端部に位置したときに、前記第２外レールの下端部と前記中レールの下端部とが、前記第１外レールの下端部側に位置する第１状態となるように構成し、
前記第１外レールに、前記第１状態でかつ前記第１スライダが前記第１外レールの下端部側に向けて移動した際に、前記第１スライダが前記第１外レールの下端部に到達しないように前記第１スライダの移動を事前に規制する第１スライダ規制ストッパを設けると共に、
前記中レールに、前記第１状態でかつ前記第２スライダが前記第２外レールの下端部側に向けて移動した際に、前記第２スライダが前記第２外レールの下端部に到達しないように前記第２スライダの移動を事前に規制する第２スライダ規制ストッパを設けたことを特徴とする遊技機。
【請求項２】
前記第１スライダ規制ストッパは、前記第１外レールの前記第１スライダが移動可能な通路上に突出した第１突部で構成され、前記第２スライダ規制ストッパは、前記中レールの前記第２スライダが移動可能な通路上に突出した第２突部で構成されたことを特徴とする請求項１に記載の遊技機。
【請求項３】
前記第１外レール及び前記中レールのうちそれらの幅方向で対向した第１対向部にそれぞれ形成された第１係合溝と、前記第２外レール及び前記中レールのうちそれらの幅方向で対向した第２対向部にそれぞれ形成された第２係合溝と、を形成し、
前記第１スライダに溝形構造の１対の対向側壁のそれぞれから表裏に突出して前記第１外レール及び前記中レールの前記第１係合溝に係合する溝係合突部を設け、前記第１外レール或いは前記中レールの一方が他方に対して移動可能に構成され、
前記第２スライダに溝形構造の１対の対向側壁のそれぞれから表裏に突出して前記第２外レール及び前記中レールの前記第２係合溝に係合する溝係合突部を設け、前記第２外レール或いは前記中レールの一方が他方に対して移動可能に構成したことを特徴とする請求項１又は２に記載の遊技機。
【請求項４】
前記ベース部材に取り付けられた回転駆動源と、
前記回転駆動源と前記可動演出部材と間に設けられ、前記回転駆動源が出力する回転動力を、前記可動演出部材の移動動力に変換する動力変換機構とを備えたことを特徴とする請求項１乃至３の何れか１の請求項に記載の遊技機。
【請求項５】
遊技球が流下する遊技盤と、
前記遊技盤に貫通形成された表示窓と、
前記遊技盤の後方に配置されて前記表示窓を通して前方に臨んだ画像表示画面を有した表示装置とが備えられ、
前記第１位置では、前記可動演出部材が前記遊技盤の後面のうち前記表示窓の側方に配置され、前記第２位置では、前記可動演出部材が前記遊技盤のうち前記表示窓が形成された部分と前記画像表示画面との間に配置されたことを特徴とする請求項１乃至４の何れか１の請求項に記載の遊技機。
【発明の詳細な説明】
【技術分野】
【０００１】
本発明は、ベース部材に対して移動支持機構により移動可能に支持された可動演出部材を、遊技状態に応じて移動させて遊技の演出を行う遊技機に関する。
【背景技術】
【０００２】
従来、この種の遊技機として、１対の溝形レールをそれらの溝開口を向かい合わせた状態に配置し、スライダの両側部に２つずつ備えたローラを各溝形レールの内部に受容した構造の移動支持機構を備えて、スライダに可動演出部材を取り付けたものが知られている（例えば、特許文献１参照）。また、上下に平行に延びた１対のガイドシャフトを、スライダに設けた１対の挿通孔に通した構造の移動支持機構を備えて、スライダに可動演出部材を取り付けたものも知られている（例えば、特許文献２参照）。
【先行技術文献】
【特許文献】
【０００３】
【特許文献１】特開２０１０−２８４２０６号公報（図２参照）
【特許文献２】特開２００７−１３６１０４号公報（図４６参照）
【発明の概要】
【発明が解決しようとする課題】
【０００４】
しかしながら、上述した従来の遊技機では、可動演出部材の移動位置に拘わらず一定長をなして遊技機に固定される溝形レール及びガイドシャフトの設置スペースの確保が問題になっていた。
【０００５】
本発明は、上記事情に鑑みてなされたもので、可動演出部材を移動可能に支持する移動支持機構の設置スペースを容易に確保可能な遊技機の提供を目的とする。
【課題を解決するための手段】
【０００６】
上記目的を達成するためになされた請求項１の発明に係る遊技機は、ベース部材に対して移動支持機構により第１位置と第２位置の間を移動可能に支持された可動演出部材を、遊技状態に応じて移動させて遊技の演出を行う遊技機であって、移動支持機構に、ベース部材に取り付けられ、溝開口を有する溝形の第１外レールと、第１外レールの溝開口に対向した溝開口を有し、可動演出部材に取り付けられた溝形の第２外レールと、第１外レール及び第２外レールの間に受容された中レールと、第１外レール及び中レールより短くかつ第１外レールと中レールとの間の溝形隙間に収容された溝形構造をなし、第１外レール或いは中レールの一方が他方に対して移動可能に連結する第１スライダと、第２外レール及び中レールより短くかつ第２外レールと中レールとの間の溝形隙間に収容された溝形構造をなし、第２外レール或いは中レールの一方が他方に対して移動可能に連結する第２スライダとを備えて、可動演出部材が可動範囲の第１位置となる下端部に位置したときに、第２外レールの下端部と中レールの下端部とが、第１外レールの下端部側に位置する第１状態となるように構成し、第１外レールに、第１状態でかつ第１スライダが第１外レールの下端部側に向けて移動した際に、第１スライダが第１外レールの下端部に到達しないように第１スライダの移動を事前に規制する第１スライダ規制ストッパを設けると共に、中レールに、第１状態でかつ第２スライダが第２外レールの下端部側に向けて移動した際に、第２スライダが第２外レールの下端部に到達しないように第２スライダの移動を事前に規制する第２スライダ規制ストッパを設けたところに特徴を有する。
【０００７】
請求項２の発明は、請求項１に記載の遊技機において、第１スライダ規制ストッパは、第１外レールの第１スライダが移動可能な通路上に突出した第１突部で構成され、第２スライダ規制ストッパは、中レールの第２スライダが移動可能な通路上に突出した第２突部で構成されたところに特徴を有する。
【０００８】
請求項３の発明は、請求項１又２に記載の遊技機において、第１外レール及び中レールのうちそれらの幅方向で対向した第１対向部にそれぞれ形成された第１係合溝と、第２外レール及び中レールのうちそれらの幅方向で対向した第２対向部にそれぞれ形成された第２係合溝と、を形成し、第１スライダに溝形構造の１対の対向側壁のそれぞれから表裏に突出して第１外レール及び中レールの第１係合溝に係合する溝係合突部を設け、第１外レール或いは中レールの一方が他方に対して移動可能に構成され、第２スライダに溝形構造の１対の対向側壁のそれぞれから表裏に突出して第２外レール及び中レールの第２係合溝に係合する溝係合突部を設け、第２外レール或いは中レールの一方が他方に対して移動可能に構成したところに特徴を有する。
【００１４】
請求項４の発明は、請求項１乃至３の何れか１の請求項に記載の遊技機において、ベース部材に取り付けられた回転駆動源と、回転駆動源と可動演出部材と間に設けられ、回転駆動源が出力する回転動力を、可動演出部材の移動動力に変換する動力変換機構とを備えたところに特徴を有する。
【００１５】
請求項５の発明は、請求項１乃至４の何れか１の請求項に記載の遊技機において、遊技球が流下する遊技盤と、遊技盤に貫通形成された表示窓と、遊技盤の後方に配置されて表示窓を通して前方に臨んだ画像表示画面を有した表示装置とが備えられ、第１位置では、可動演出部材が遊技盤の後面のうち表示窓の側方に配置され、第２位置では、可動演出部材が遊技盤のうち表示窓が形成された部分と画像表示画面との間に配置されたところに特徴を有する。
【発明の効果】
【００１６】
［請求項１の発明］
請求項１の遊技機に備えた移動支持機構は、第１及び第２の外レールと、それら第１及び第２の外レールに受容された中レールとを備え、第１外レールと中レールとの間が第１スライダにてスライド可能に連結され、中レールと第２外レールとの間が第２スライダにてスライド可能に連結されている。そして、第１外レールがベース部材に固定され、第２外レールが可動演出部材に固定されているので、移動支持機構が、可動演出部材の第１位置と第２位置との間の移動に応じて伸縮することになり、従来のものに比べて移動支持機構の設置スペースを容易に確保することができる。
【００１７】
［請求項２の発明］
請求項２の発明によれば、第１外レールにおける第１スライダが移動可能な通路上に設けられた第１突部によって、第１スライダの移動を規制することができると共に、中レールにおける第２スライダが移動可能な通路上に設けられた第２突部によって、第２スライダの移動を規制することができる。
【００１８】
［請求項３の発明］
請求項３の発明によれば、第１スライダ及び第２スライダの溝係合突部が、各レール同士の幅方向で対向する第１係合溝及び第２係合溝の間に係合されるため、第１外レール、第２外レール及び中レールの移動を安定させることができる。
【００２４】
［請求項４の発明］
可動演出部材を直動させるためには、例えば、移動支持機構を回転動力源にて傾動させて、可動演出部材に係る重力によって可動演出部材が移動するように構成してもよいし、請求項４の構成によれば、ベース部材に取り付けられた回転駆動源と、回転駆動源と可動演出部材と間に設けられ、回転駆動源が出力する回転動力を、可動演出部材の移動動力に変換する動力変換機構とを備えた構成にしてもよい。
【００２５】
［請求項５の発明］
請求項５の構成によれば、可動演出部材が、表示窓に対して出没して、遊技の演出を盛り上げることができる。
【図面の簡単な説明】
【００２６】
【図１】本発明の一実施形態に係るパチンコ遊技機の正面図
【図２】可動演出部材が第１位置に配置されたときの遊技盤の正面図
【図３】可動演出部材が第２位置に配置されたときの遊技盤の正面図
【図４】可動演出部材が第２位置に配置されたときの裏セット盤の正面図
【図５】可動演出部材が第１位置に配置されたときの可動役物装置の斜視図
【図６】可動演出部材が第２位置に配置されたときの可動役物装置の斜視図
【図７】ベース部材の斜視図
【図８】可動演出部材が第１位置に配置されたときの可動演出部材の背面図
【図９】可動演出部材が第２位置に配置されたときの可動演出部材の背面図
【図１０】（Ａ）移動支持部材を引き伸ばした状態の斜視図（Ｂ）第２外レールが中レールに対して上方にスライドした状態の斜視図（Ｃ）移動支持部材における最短状態の斜視図（Ｄ）第２外レールを取り外した移動支持部材の最短状態の斜視図
【図１１】移動支持部材の分解斜視図
【図１２】移動支持部材の断面図
【図１３】（Ａ）第１突部の斜視図（Ｂ）第２突部の斜視図
【発明を実施するための形態】
【００２７】
［第１実施形態］
以下、本発明を適用したパチンコ遊技機１０に係る一実施形態を、図１〜図１３に基づいて説明する。図１に示すように、パチンコ遊技機１０は、前面が前面枠１０Ｚにて覆われており、その前面枠１０Ｚに形成されたガラス窓１０Ｗを通して遊技盤１１の遊技領域Ｒ１が視認可能になっている。
【００２８】
ガラス窓１０Ｗの周囲には装飾ランプ３５が設けられ、前面枠１０Ｚのうちガラス窓１０Ｗより上側の両角位置には、それぞれスピーカ２５，２５が設けられている。また、前面枠１０Ｚのうちガラス窓１０Ｗより下方には、上皿２６及び下皿２７が上下２段にして設けられ、下皿２７の右側には操作ノブ２８が設けられている。そして、操作ノブ２８を回動操作すると、上皿２６に収容された遊技球が遊技領域Ｒ１に向けて弾き出される。なお、上皿２６に備えたボタン（図示せず）を押すと上皿２６に収容されている遊技球が下皿２７へと移動する。
【００２９】
図２に示すように、遊技盤１１のうち遊技領域Ｒ１の中央には、遊技盤表示窓１０Ｈが貫通形成されている。また、遊技盤１１の裏面には、図４に示した裏セット盤４０が備えられ、その裏セット盤４０に固定された表示装置３０の液晶モジュール（例えば、ＴＦＴ−ＬＣＤモジュール）における表示画面３０Ｇが遊技盤表示窓１０Ｈを通して前方に臨んでいる。なお、裏セット盤４０は、図４に示すように、遊技盤１１の裏面と対向した主板壁４１Ａと、その外縁部から前方に起立した囲壁４１Ｂとを有し、前後方向で扁平な箱形構造をなしている。囲壁４１Ｂの四隅には、その前端縁から側方に張り出した複数の鍔壁４１Ｃが一体形成され、それら鍔壁４１Ｃが遊技盤１１の裏面に宛われて、裏セット盤４０が遊技盤１１の裏面に固定されている。
【００３０】
また、図２に示すように、遊技盤表示窓１０Ｈの開口縁には、表示装飾枠２３が取り付けられている。表示装飾枠２３は、遊技盤１１の前面側から遊技盤表示窓１０Ｈに嵌め込まれ、遊技盤表示窓１０Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。
【００３１】
図１に示すように、遊技領域Ｒ１のうち表示装飾枠２３の下方における左右方向の中央部には、第１及び第２の始動入賞口１４Ａ，１４Ｂ、第１大入賞口１５及びアウト口１６が、上から順に間隔を開けて並べて設けられている。第１大入賞口１５の左右両側には、サイド入賞口２１，２１が設けられ、始動入賞口１４Ａ，１４Ｂの左側には、ガイドレール１２に沿って一般入賞口２０，２０が設けられている。表示装飾枠２３の左側には風車１９が設けられ、表示装飾枠２３の右側には始動ゲート１８が設けられている。また、遊技領域Ｒ１には多数の障害釘が植設されている。
【００３２】
遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入賞すると、その遊技球は遊技盤１１の裏側に取り込まれ、代わりに所定数の賞球が上皿２６に払い出される。
【００３３】
始動ゲート１８は、遊技球が潜って通過可能な門形構造をなしている。始動ゲート１８を遊技球が通過すると当否判定が行われる。その当否判定の結果は、遊技領域Ｒ１の外側の普通図柄表示部３８にて表示される。例えば、当否判定の結果が当たりの場合（以下、「小当たり」という）には、普通図柄表示部３８が点灯表示され、外れの場合には、消灯する。なお、普通図柄表示部３８が変動表示の最中に始動ゲート１８を遊技球が通過した場合、その通過球は最大で４個まで保留記憶される。そして、普通図柄表示部３８の変動表示が終了すると、その保留記憶に基づいて再び普通図柄表示部３８が変動表示される。なお、保留記憶数は、普通図柄表示部３８の下方にある普通図柄保留数用ＬＥＤ３７の点灯数によって遊技者に報知される。
【００３４】
第１及び第２の始動入賞口１４Ａ，１４Ｂは、共に遊技盤１１の前面から突出した部材の上面に遊技球が１つずつ入賞可能な開口を備えた、所謂、ポケット構造をなしている。
【００３５】
第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には、起立状態になっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、「小当たり」となった場合に可動翼片１４Ｃ，１４Ｃが所定期間に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３６】
また、各始動入賞口１４Ａ，１４Ｂに遊技球が入賞すると、例えば、１個の入賞につき４個の遊技球が上皿２６に払い出されると共に当否判定が行われる。その判定結果は、表示装置３０の表示画面３０Ｇにて表示される。
【００３７】
具体的には、図１に示すように、表示画面３０Ｇには、通常、３つの左、中、右の特別図柄１３Ａ，１３Ｂ，１３Ｃが横並びに停止表示されている。これら各特別図柄１３Ａ，１３Ｂ，１３Ｃは、例えば、「０」〜「９」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞したときに、これら３つの特別図柄１３Ａ，１３Ｂ，１３Ｃが変動表示（上下方向にスクロール表示）され、所定時間後に、例えば、左、右、中の順で各特別図柄１３Ａ，１３Ｂ，１３Ｃが停止表示される。始動入賞口１４Ａ，１４Ｂへの入賞に起因した当否判定結果が当たり（以下、「大当たり」という）の場合には、３つの特別図柄１３Ａ，１３Ｂ，１３Ｃが全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００３８】
また、各特別図柄１３Ａ，１３Ｂ，１３Ｃが、変動表示後、左、右、中の順で各特別図柄１３Ａ，１３Ｂ，１３Ｃを停止する際に、左、右の各特別図柄１３Ａ，１３Ｃが同じ図柄になって先に停止した状態で、中特別図柄１３Ｂが変動表示されたリーチ状態になる場合がある。リーチ状態になると、表示画面３０Ｇには所定のリーチ演出画像（例えば、キャラクタ画像）が表示される。なお、リーチ状態とは、「可変表示部の特別図柄が可変開始された後、図柄制御が進行して表示結果が停止表示される前段階において、特定の表示態様大当りの組み合わせが表示されやすい可変表示態様となったと遊技者に思わせるための表示状態」であれば、上記のように例示した、左、右の各特別図柄１３Ａ，１３Ｃが同じ図柄のものに限定されない。
【００３９】
ここで、表示画面３０Ｇにて特別図柄が変動表示している最中又は「大当たり遊技」の最中に各始動入賞口１４Ａ，１４Ｂに入賞した遊技球の数は、所定の保留限度数（４個）まで保留記憶され、特別図柄が外れの図柄組み合わせで停止表示又は「大当たり遊技」が終了すると、その保留記憶に基づいて再び、特別図柄の変動表示が開始される。なお、保留記憶数は、上述した普通図柄用保留数用ＬＥＤ３７の下方にある特別図柄保留数用ＬＥＤ３９の点灯数によって遊技者に報知される。特別図柄保留数用ＬＥＤ３９等と共に遊技領域Ｒ１の外側に配置されている特別図柄表示部３６は、表示画面３０Ｇで表示される特別図柄と連動して変動表示及び停止表示される。
【００４０】
第１大入賞口１５は横長矩形状をなしており、通常の遊技状態では、可動扉１５Ｔにて閉塞されている。そして、「大当たり状態」になると、図１に示すように、可動扉１５Ｔが所定期間に亘って前側に倒される。すると、第１大入賞口１５が前方に開放し、可動扉１５Ｔを案内にして第１大入賞口１５に多くの遊技球が入賞可能となる。第１大入賞口１５に遊技球が入賞すると、例えば、１個の入賞につき１５個の遊技球が上皿２６に払い出される。
【００４１】
表示装飾枠２３は、中央に開口部を備え、前面が表示装置３０で行われる表示演出に対応したデザイン形状をなしている。表示装飾枠２３の下辺の内側上面は、遊技球が左右に転動可能なステージ２４となっている。また、表示装飾枠２３の右側辺には、ワープ入口１７が設けられており、ワープ入口１７に遊技球が入球すると、遊技球が図示しないワープ路を通ってステージ２４に案内される。
【００４２】
そして、上述した各入賞口１４Ａ，１４Ｂ，１５，２０，２１の何れにも入賞しなかった遊技球は、遊技領域Ｒ１の下端に配置されたアウト口１６に全て取り込まれる。
【００４３】
本実施形態のパチンコ遊技機１０は、上記したリーチ状態等の演出を行うために、図５に示した可動役物装置１００を備え、その可動役物装置１００は、少なくとも本発明に係るベース部材７０と、可動演出部材５０と、「移動支持機構」に相当する移動支持部材９０とによって構成されている。
【００４４】
ベース部材７０は、図４に示すように、裏セット盤４０の前面と重なるように裏セット盤４０の下端部中央に固定されている。図７に示すように、ベース部材７０の中央には、ベース部材７０の上端部から下端部に亘ってスライド溝７２が形成され、そのスライド溝７２の下端寄り位置には検出素子７３が実装されている。検出素子７３は、１対の対向壁をスリットを介して対向配置した構造をなし、スリット内に障害物が存在するか否かを検出することができる。
【００４５】
スライド溝７２の側方には、上下方向で対向する上端ストッパ７４Ｕと下端ストッパ７４Ｄとが設けられている。上端ストッパ７４Ｕは、ベース部材７０の上端部に位置し、上下に偏平な矩形をなして前方に突出している。一方、下端ストッパ７４Ｄは、ベース部材７０の最も下端側に位置する外縁部から遊技盤１１に向かって起立すると共に下方に緩やかに傾斜した側壁７０Ｓに設けられており、その側壁７０Ｓの一部を上端ストッパ７４Ｕに向かって僅かに突出させてなる。
【００４６】
また、図７におけるスライド溝７２の右側方は支持壁７１で覆われていて、その支持壁７１とベース部材７０とで挟まれた空間に複数の中継歯車６０が左右方向に並べて配置されている（図８参照）。支持壁７１には、減速機付モータ８０が固定されており、その減速機付モータ８０の出力軸が支持壁７１のスリット７１Ｓを通って裏側へ貫通し、出力軸の先端部が中継歯車６０に取り付けられている。そして、隣接する歯車同士が互いに噛合して、スライド溝７２側に配置された中継歯車６０が可動演出部材５０に噛合されている。
【００４７】
図５に可動演出部材５０の全体を示すように、可動演出部材５０は、例えば、表示画面３０Ｇに登場するキャラクターの一部を模した形状をなしている。そして、可動演出部材５０の裏面側に後に詳説する移動支持部材９０が取り付けられ、可動演出部材５０がベース部材７０に対して直動可能に支持されている。
【００４８】
図８における可動演出部材５０の左側方にはラック５１が備えられ、そのラック５１が中継歯車６０に噛合されている。これにより、減速機付モータ８０の回転動力を中継歯車６０を介して可動演出部材５０に伝達することができ、可動演出部材５０をベース部材７０に対して直動させることができる。なお、減速機付モータ８０が本発明に係る「回転駆動源」に相当し、中継歯車６０が本発明に係る「動力変換機構」に相当する。
【００４９】
また、図８における可動演出部材５０の下端部には、ベース部材７０に向かって突出する当接突部５２Ｔが設けられている。当接突部５２Ｔは、その下端部が僅かに下方に張り出しており、可動演出部材５０がベース部材７０に対して下方に直動すると、当接突部５２Ｔがベース部材７０における下端ストッパ７４Ｄに突き当たって、それ以上可動演出部材５０を下方に移動することを規制することができる。また、可動演出部材５０がベース部材７０に対して上方に直動すると、当接突部５２Ｔがベース部材７０の上端ストッパ７４Ｕに突き当たって、それ以上可動演出部材５０が上方に移動することを規制することができる。
【００５０】
ここで、本実施形態では、可動演出部材５０の直動範囲において、下方向の限界位置が本発明に係る「第１位置」に相当し、可動演出部材５０が第１位置に配置されると、図２に示すように可動演出部材５０が遊技盤１１の後面のうち表示装飾枠２３の下方に収容されて遊技者から見え難い退避状態になる。また、可動演出部材５０の直動範囲において、上方向の限界位置が本発明に係る「第２位置」に相当し、可動演出部材５０が第２位置に配置されると、図３に示すように表示画面３０Ｇの前面に可動演出部材５０の全体的に出現する出現状態になる。
【００５１】
図８に示すように、ラック５１の下端部には、検知片５３Ｔが設けられている。検知片５３Ｔは、上下方向に延びると共にベース部材７０に向かって突出し、ベース部材７０におけるスライド溝７２に凹凸係合している。そして、可動演出部材５０が第１位置に配置されると、検知片５３Ｔが検出素子７３のスリット内に位置して検出素子７３から検出信号が出力される。これにより、図示しない回路基板にて、可動演出部材５０が第１位置に配置されていることを検出することができる。
【００５２】
移動支持部材９０は、図１１に示すように、第１外レール９１と、第２外レール９２と、中レール９３とを備えてなる。第１外レール９１と第２外レール９２とは、共に、長方形状に構成され、その鉛直方向（長手方向）に延びた溝開口９１Ｎ，９２Ｎを有する溝形構造をなしており、互いに溝開口を対向させている。
【００５３】
中レール９３は、鉛直方向に細長く延びた直方体形状をなし、第１外レール９１と第２外レール９２との間に受容されている。中レール９３の側面のうち第１外レール９１及び第２外レール９２と対向する１対の側面には、陥没凹部９３Ｋ，９３Ｋが備えられている。
【００５４】
図１２に示すように、第１外レール９１と中レール９３の幅方向で対向する各側面のうち第１外レール９１の両側面には、第１外側係合溝９１Ｍ，９１Ｍが設けられ、中レール９３の両側面には、第１内側係合溝９３Ｍ１，９３Ｍ１が設けられている。これと同様に、第２外レール９２と中レール９３の幅方向で対向する各側面のうち第２外レール９２の両側面には、第２外側係合溝９２Ｍ，９２Ｍが設けられ、中レール９３の両側面には、第２内側係合溝９３Ｍ２，９３Ｍ２が設けられている。なお、これら各係合溝９１Ｍ，９２Ｍ，９３Ｍ１，９３Ｍ２のうち第１及び第２の外側係合溝９１Ｍ，９２Ｍは、円弧状に湾曲した溝であり、第１及び第２の内側係合溝９３Ｍ１，９３Ｍ２は、Ｖ字状の溝になっている。
【００５５】
第１外レール９１と中レール９３との間の溝形隙間Ｓ１には、第１スライダ９４が収容されている。図１１に示すように、第１スライダ９４は、第１外レール９１の１／３程度の長さになっていると共に、中レール９３側に開口した溝形構造をなし、その幅方向の中心には、中レール９３の陥没凹部９３Ｋに対応した中央突部９４Ｋが設けられている。また、第１スライダ９４の１対の対向側壁には、それぞれ複数ずつの貫通孔９４Ａが形成されており、これら複数の貫通孔９４Ａに複数の球体（ボール）Ｂが転動可能に受容されている。これら複数の球体（ボール）Ｂは、第１スライダ９４の対向側壁から内側及び外側に突出した状態で保持されている。そして、図１２に示すように、これら１対の対向側壁から突出した球体（ボール）Ｂが第１外側係合溝９１Ｍと第１内側係合溝９３Ｍ１との間に摺動可能に係合され、第１スライダ９４によって第１外レール９１と中レール９３とが移動（直動）可能に連結されている。
【００５６】
一方、第２外レール９２と中レール９３との間の溝形隙間Ｓ２には、第２スライダ９５が収容されている。第２スライダ９５は、図１１に示すように、第１スライダ９４と同形状をなし、中レール９３側に開口した溝形構造で、その幅方向の中心に陥没凹部９３Ｋに対応した中央突部９５Ｋを備えている。また、第２スライダ９５の１対の対向側壁には、複数ずつの貫通孔９５Ａが形成され、それら貫通孔９５Ａに複数の球体（ボール）Ｂが転動可能に受容されて、これら複数の球体（ボール）Ｂが第２スライダ９５の対向側壁から内側及び外側に突出した状態で保持されている。そして、図１２に示すように、これら１対の対向側壁から突出した球体（ボール）Ｂが第２外側係合溝９２Ｍと第２内側係合溝９３Ｍ２との間に摺動可能に係合され、第２スライダ９５によって第２外レール９２と中レール９３とが移動（直動）可能に連結されている。
【００５７】
なお、第１外側係合溝９１Ｍと第１内側係合溝９３Ｍ１とが本発明に係る「第１係合溝」に相当し、第２外側係合溝９２Ｍと第２内側係合溝９３Ｍ２とが本発明に係る「第２係合溝」に相当する。また、これら第１及び第２の係合溝に係合する第１及び第２スライダ９４，９５の球体（ボール）Ｂが本発明に係る「溝係合突部」に相当する。
【００５８】
図１１に示すように、第１外レール９１の下端部における第１外側係合溝９１Ｍ，９１Ｍの間には、第１ストッパ棒９１Ｓが差し渡されている。中レール９３の下端部が第１外レール９１の下端部に配置されると、中レール９３の下端面が第１外レール９１の第１ストッパ棒９１Ｓに突き当たって係止され、中レール９３がそれより下端側に移動することが規制される（図１０（Ｂ）〜図１０（Ｄ）の状態）。一方、第１外レール９１の上端部には、第１外レール９１の溝低面の一部を外面側から内面側に向かって隆起させた第１ストッパ壁９１Ｌが形成されている。第１スライダ９４が第１外レール９１の上端部に位置すると、第１スライダ９４の上端部が第１ストッパ壁９１Ｌに突き当たって係止され、第１スライダ９４が第１外レール９１の上端部から抜け落ちないようになっている。また、中レール９３における第１スライダ９４と対向する側の陥没凹部９３Ｋの下端部には、貫通孔９３Ｈ１が貫通形成され、その貫通孔９３Ｈ１に第１係止棒９３Ｔ１が圧入されている（図１２参照）。さらに、その第１係止棒９３Ｔ１と係合するための係止凹部９４Ｓが第１スライダ９４における中央突部９４Ｋの下端部に形成されている。係止凹部９４Ｓは、第１係止棒９３Ｔ１より直径の大きい半円形状をなし、下方に開放している。これにより、中レール９３の下端部が第１外レール９１の上端部に配置されると、第１スライダ９４の係止凹部９４Ｓに中レール９３の第１係止棒９３Ｔ１が突き当たって係合されると共に第１スライダ９４の上端部が第１外レール９１の第１ストッパ壁９１Ｌに係止され、中レール９３がそれより上端側に移動することが規制される（図１０（Ａ）の状態）。
【００５９】
また、第２外レール９２の上端部における第２外側係合溝９２Ｍ，９２Ｍの間には、第２ストッパ棒９２Ｓ（図９参照）が差し渡されている。第２外レール９２の上端部が中レール９３の上端部に配置されると、中レール９３の上端面が第２外レール９２の第２ストッパ棒９２Ｓに突き当たって、第２外レール９２がそれより下端側に移動することが規制される（図１０（Ｃ）の状態）。一方、第２外レール９２のうち下端部には、図１１に示すように、第２外レール９２の溝低面の一部を外面側から内面側に向かって隆起させた第２ストッパ壁９２Ｌが形成されている。第２スライダ９５が第２外レール９２の下端部に位置すると、第２スライダ９５の下端部が第２ストッパ壁９２Ｌに突き当たって係止され、第２スライダ９５が第２外レール９２の下端部から抜け落ちないようになっている。また、中レール９３における第２スライダ９５と対向する側壁の上端部には、貫通孔９３Ｈ２が貫通形成され、その貫通孔９３Ｈ２に第２係止棒９３Ｔ２が圧入されている。さらに、その第２係止棒９３Ｔ２と係合するための係止凹部９５Ｓが第２スライダ９５における中央突部９５Ｋの上端部に形成されている。係止凹部９５Ｓは、係合凹部第２係止棒９３Ｔ２より直径の大きい半円形状をなし、上方に開放している。これにより、第２外レール９２の下端部が中レール９３の上端部に配置されると、第２スライダ９５の係止凹部９５Ｓに中レール９３の第２係止棒９３Ｔ２が突き当たって係合されると共に第２スライダ９５の下端部が第２外レール９２の第２ストッパ壁９２Ｌに係止され、第２外レール９２がそれより上端側に移動することが規制される（図１０（Ａ）の状態）。
【００６０】
そして、本実施形態では、第１外レール９１が図７に示すようにベース部材７０に設けられた受容周壁７５に固定される一方、第２外レール９２が図８に示すように可動演出部材５０に陥没形成された収容部５５に固定されている。これにより、減速機付モータ８０が駆動することに伴って中継歯車６０が駆動し、中継歯車６０の駆動にラック５１が連動して可動演出部材５０が上方に移動すると、図５から図６の変化に示すように可動演出部材５０の直動に応じて第２外レール９２及び中レール９３がスライドして移動支持部材９０が引き伸ばされる。そして、可動演出部材５０の当接突部５２Ｔがベース部材７０の上端ストッパ７４Ｕ（図７参照）に突き当たるまで移動することで可動演出部材５０が第２位置に配置され、第２状態（最長状態）となる。また、減速機付モータ８０が駆動することに伴って中継歯車６０が駆動し、中継歯車６０の駆動にラック５１が連動することで可動演出部材５０が下方に移動すると、可動演出部材５０の直動に応じて移動支持部材９０がスライドし、第２外レール９２の下端部及び中レール９３の下端部が第１外レール９１の下端部側に位置する第１状態（最短状態）となる。すると、可動演出部材５０の当接突部５２Ｔがベース部材７０の下端ストッパ７４Ｄに突き当たって可動演出部材５０が第１位置に配置される。なお、本実施形態の移動支持部材９０では、可動演出部材５０が第２位置に配置された状態（最長状態）の移動支持部材９０の長さは、可動演出部材５０が第１位置に配置された状態（最短状態）の移動支持部材９０の長さの約２倍になっている。
【００６１】
さらに、第１外レール９１における第１スライダ９４の移動経路上となる第１外側係合溝９１Ｍ，９１Ｍ上には、第１突部９６，９６が設けられている。本実施形態の第１突部９６、９６は、図１１及び図１３（Ａ）に示すように、第１外レール９１における長手方向の中間位置より下端側の第１外側係合溝９１Ｍ，９１Ｍの一部を片持ち梁状に切り欠いて第１外側係合溝９１Ｍ側に張り出して（かしめて）なり、第１突部９６の先端面９６Ｓ，９６Ｓを第１外レール９１の長手方向の中間位置を向けて第１外側係合溝９１Ｍ，９１Ｍを遮断している。そして、可動演出部材５０が第１位置に配置された状態、即ち、移動支持部材９０が第１状態（最短状態）に配置されたとき、或いは第１スライダ９４が第１突部９６，９６より上方に位置した状態で移動支持部材９０が第１状態（最短状態）に保持され、その後、第１スライダ９４が振動等によって第１外レール９１の下端側に自然に移動したときに、第１スライダ９４が第１突部９６，９６に係止（接触）して、第１スライダ９４が第１外レール９１の下端側に到達（移動）することを事前に規制することができる。これにより、第１スライダ９４が振動等によって第１外レール９１の下端側に自然に移動した場合でも、第１スライダ９４の少なくとも一部を中レール９３の長手方向における端部間の中心位置に重なった状態に保持（規制）することができる。
【００６２】
また、中レール９３における第２スライダ９５の移動経路上となる第２内側係合溝９３Ｍ２，９３Ｍ２上には、第２突部９７，９７が設けられている。本実施形態の第２突部９７，９７は、図１１及び図１３（Ｂ）に示すように、中レール９３における長手方向の中間位置より下端側の第２内側係合溝９２Ｍ２，９２Ｍ２の壁の一部を切り欠いて第２内側係合溝９３Ｍ２側に張り出して（かしめて）なり、第２内側係合溝９３Ｍ２，９３Ｍ２を遮断している。そして、可動演出部材５０が第１位置に配置された状態、即ち、図１０（Ｄ）に示すように移動支持部材９０が第１状態（最短状態）に配置されたとき、或いは第２スライダ９５が第２突部９７，９７より上方に位置した状態で移動支持部材９０が第１状態（最短状態）に保持され、その後、第２スライダ９５が振動等によって中レール９３の下端側に自然に移動したときに、第２スライダ９５が第２突部９７，９７に係止（接触）して、第２スライダ９５が中レール９３の下端側に到達（移動）することを事前に規制することができる。これにより、第２スライダ９５が振動等によって中レール９３の下端側に自然と移動した場合でも、第２スライダ９５の少なくとも１部を第２外レール９２の長手方向における端部間の中心位置に重なった状態に保持（規制）することができる。
【００６３】
このように、本実施形態では、最短状態において、第１スライダ９４が第１外レール９１の長手方向の中心と重なった状態で保持されると共に、第２スライダ９５が第２外レール９２の長手方向の中心と重なった状態で保持されるので、第１スライダ９４及び第２スライダ９５が第１外レールスライダ９１、第２外レール及び中レール９３の下端部に保持された場合に比べて、第１外レール９１と中レール９３との間に係るモーメント負荷及び中レール９３と第２外レール９２との間に係るモーメント負荷を軽減することができる。
【００６４】
なお、第１突部９６，９６が、本発明に係る「第１スライダ規制ストッパ」に相当し、第２突部９７，９７が、本発明に係る「第２スライダ規制ストッパ」に相当する。
【００６５】
本実施形態のパチンコ遊技機１０の構成に関する説明は以上である。次に、本実施形態のパチンコ遊技機１０の作用効果について説明する。図１に示したパチンコ遊技機１０の操作ノブ２８を操作すると、遊技領域Ｒ１の上端部に遊技球が次々と弾き出されて遊技領域Ｒ１を流下する。可動演出部材５０は、通常、表示装飾枠２３の下辺部の裏側（第１位置）に隠れているため、図１に示すように、遊技者からは可動演出部材５０は見えなくなっている。
【００６６】
そして、遊技領域Ｒ１を流下する遊技球のうちのいくつかが、第１又は第２の始動入賞口１４Ａ，１４Ｂに入賞すると、所定数の遊技球（賞球）が上皿２６に払い出されると共に当否判定が行われる。即ち、表示画面３０Ｇにおいて、３つの特別図柄１３Ａ，１３Ｂ，１３Ｃが、上下方向にスクロール表示された後、左、右、中の順番で特別図柄１３Ａ，１３Ｂ，１３Ｃが停止表示され、それら特別図柄１３Ａ，１３Ｂ，１３Ｃが同一であるか否かによって当否判定結果が報知される。
【００６７】
当否判定結果が当たりになる場合には、左右の特別図柄１３Ａ，１３Ｃが同じ図柄（例えば、「７」）で停止表示し、中特別図柄１３Ｂのみが変動表示したリーチ状態となる。そして、最後に中特別図柄１３Ｂが停止表示される直前に、回路基板が減速機付モータ８０を作動させて、可動演出部材５０が上方へ直動する。
【００６８】
ここで、本願発明者は、第１突部及び第２突部とを備えていない移動支持部材を有するパチンコ遊技機を試作したところ、第１状態（最短状態）の移動支持部材９０が、パチンコ遊技機１０の搬送時や組立時の振動、遊技時に遊技盤１１の裏面に設けられたモータや各装置から振動を受けると、以下の問題が発生する場合があった。即ち、第１突部及び第２突部が設けられていない移動支持部材の第１状態（最短状態）では、第１スライダ及び第２スライダが、第１外レール、第２外レール及び中レールの下端部に移動してしまい、その結果、第１外レールと中レールとの間に係るモーメント負荷、及び、中レールと第２外レールとの間に係るモーメント負荷に起因して、移動支持機構の初動抵抗が著しく大きくなる場合があった。このため、可動演出部材５０を移動（直動）させようとすると、初動抵抗が大きく可動演出部材５０をスムーズに動かすことができないという問題があった。
【００６９】
しかしながら、本実施形態の移動支持部材９０では、第１突部９６及び第２突部９７が設けられているので、第１スライダ９４及び第２スライダ９５が振動を受けても、第１突部９６，９６によって第１スライダ９４が第１外レール９１の下端側に到達（移動）しないように事前に係止（規制）することができると共に、第２突部９７，９７によって第２スライダ９５が中レール９３の下端側に移動しないように係止（規制）することができるので、第１スライダ９４及び第２スライダ９５が第１外レール９１、第２外レール９２及び中レール９３の下端部に移動することを防止することができる。これにより、移動支持部材９０の初動抵抗を抑えることができ、可動演出部材５０をスムーズに移動（直動）させることができる。
【００７０】
また、可動演出部材５０が第１位置に配置されている状態では、移動支持部材９０の全体が可動演出部材５０とベース部材７０との間に最短状態（第１状態）で収容されており（図５及び図８参照）、コンパクトになっている。そして、このとき、可動演出部材５０は表示装飾枠２３の裏面側に位置するため遊技者から見え難い退避状態となっている。可動演出部材５０の移動（直動）が開始すると、可動演出部材５０の移動（直動）位置に応じて第１外レール９１に対して第２外レール９２及び中レール９３がスライドして移動支持部材９０が引き伸ばされる。そして、可動演出部材５０が表示装飾枠２３の下端部から出現して、可動演出部材５０の当接突部５２Ｔがベース部材７０の上端ストッパ７４Ｕに突き当たる直前で回路基板によって減速機付モータ８０が停止され、可動演出部材５０の全体が表示画面３０Ｇの前面（第２位置）に配置された出現状態となり、移動支持部材９０が最長状態（第２状態）となる。このとき、移動支持部材９０は、可動演出部材５０の裏面側に隠されていて、パチンコ遊技機１０の前面からは見えなくなっている。そして、この状態で、表示画面３０Ｇの表示に中特別図柄１３Ｂが変動表示される。表示された中特別図柄１３Ｂの図柄が左右の特別図柄１３Ａ，１３Ｃと一致していれば、当否判定結果は当たりとなり、不一致であれば当否判定結果は外れとなる。
【００７１】
当否判定結果の報知が終了すると、減速機付モータ８０が逆向きに作動し、可動演出部材５０を第２位置から第１位置に戻す。このとき、移動支持部材９０が可動演出部材５０が第１位置から第２位置に移動（直動）する際とは逆向きに動作して、最短状態（第１状態）に保持され、表示画面３０Ｇの全体が視認可能になる。すると、可動演出部材５０における当接突部５２Ｔがベース部材７０における下端ストッパ７４Ｄに突き当たって、可動演出部材５０のベース部材７０に対する移動が規制され、可動演出部材５０が位置決めされる。そして、検出片５３Ｔが検出素子７３の間に収容され、回路基板によって可動演出部材５０が第１位置に配置されたことを検出する。
【００７２】
このように、本実施形態の移動支持部材９０では、第１外レール９１がベース部材７０に固定され、第２外レール９２が可動演出部材５０に固定されているので、移動支持部材９０が、可動演出部材５０の直動位置（第１位置から第２位置の間）に応じて伸縮することになり、従来のものに比べて移動支持部材９０の設置スペースを容易に確保することができる。
【００７３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７４】
（１）前記実施形態では、パチンコ遊技機１０に本発明を適用していたが、遊技機であれば、コイン遊技機やスロットマシン、アレンボール等に備えてもよい。
【００７６】
（２）前記実施形態では、第１スライダ９４及び第２スライダ９５の対向する１対の対向側壁の間全体が中央突部９４Ｋ，９５Ｋを構成する溝底面によって連絡されていたが、１対の対向側壁の間の一部分のみが連絡された構成であってもよい。
【００７７】
（３）前記実施形態では、「第１スライダ規制ストッパ」及び「第２スライダ規制ストッパ」を、第１外側係合溝９１Ｍの一部をカシメて形成すると共に、第２内側係合溝９３Ｍ２の一部をカシメて形成していたが、本発明の「第１スライダ規制ストッパ」及び「第２スライダ規制ストッパ」は、第１及び第２突部９６，９７に限るものではなく、例えば、第１外レール９１の第１スライダ９４と対向する面、及び第２スライダ９５と対向する中レール９３の陥没凹部９３Ｋに、第１及び第２の係止棒９３Ｔ１，９３Ｔ２と同様の係止棒を設けた構成のものであってもよい。
【００７８】
また、「第１スライダ規制ストッパ」及び「第２スライダ規制ストッパ」は、第１突部９６及び第２突部９７のように第１外側係合溝９１Ｍ及び第２内側係合溝９３Ｍ２上に突出した構成に限るものではなく、例えば、第１スライダ９４の第１外レール９１と対向する側面に第１スライダ突出部を設け、その第１スライダ突出部を、第１外レール９１に貫通形成されたスライダ係合溝に摺動可能に係合して、スライダ係合溝の下端部にスライダ突出部が突き当たることにより、第１スライダ９４の移動を規制する構成であってもよい。同様に、第２スライダに第２スライダ突出部を設け、中レール９３に貫通形成されたスライダ係合溝の下端部に第２スライダ突出部を突き当てて、第２スライダ９５の移動を規制する構成であってもよい。
【００７９】
（４）前記実施形態では、可動演出部材５０が表示装飾枠２３の下端部から出現する構成になっていたが、表示装飾枠２３の側方から可動演出部材５０が出現して鉛直方向に対して傾斜した方向に直動する構成であってもよい。
【符号の説明】
【００８０】
１０    パチンコ遊技機
５０    可動演出部材
７０    ベース部材
８０    減速機付モータ
９０    移動支持部材（移動支持機構）
９１    第１外レール
９１Ｍ    第１外側係合溝（第１係合溝）
９２    第２外レール
９２Ｍ    第２外側係合溝（第２係合溝）
９３    中レール
９３Ｍ１    第１内側係合溝（第１係合溝）
９３Ｍ２    第２内側係合溝（第２係合溝）
９４    第１スライダ
９５    第２スライダ
９６    第１突部（第１スライダ規制ストッパ）
９７    第２突部（第２スライダ規制ストッパ）
Ｂ    球体（ボール）（溝係合突部）
【図１】
0005301625.tif 000002
【図２】
0005301625.tif 000003
【図３】
0005301625.tif 000004
【図４】
0005301625.tif 000005
【図５】
0005301625.tif 000006
【図６】
0005301625.tif 000007
【図７】
0005301625.tif 000008
【図８】
0005301625.tif 000009
【図９】
0005301625.tif 000010
【図１０】
0005301625.tif 000011
【図１１】
0005301625.tif 000012
【図１２】
0005301625.tif 000013
【図１３】
0005301625.tif 000014